【事件の表示】
　特許第６２７５４３０号発明「窓の防火構造」の特許異議申立事件について、次のとおり決定する。
【結　論】
　特許第６２７５４３０号の明細書、特許請求の範囲を訂正請求書に添付された訂正明細書、特許請求の範囲のとおり、訂正後の請求項〔１−３〕、４について訂正することを認める。
　特許第６２７５４３０号の請求項１、３、４に係る特許を維持する。
【理　由】
第１　手続の経緯 
　特許第６２７５４３０号の請求項１〜４に係る特許についての出願は、平成２５年９月１７日に特許出願され、平成３０年１月１９日付けでその特許権の設定登録がされ、平成３０年２月７日に特許掲載公報が発行された。
　本件特許異議の申立ての経緯は、次の通りである。
平成３０年　８月　２日：特許異議申立人石井克彦（以下「申立人」と
　　　　　　　　　　　　いう。）よる請求項１、３、４に係る特許に
　　　　　　　　　　　　対する特許異議の申立て
平成３０年１０月　３日：取消理由通知書（起案日）
平成３０年１２月　７日：特許権者による意見書及び訂正請求書の提出
平成３１年　２月２０日：申立人による意見書の提出
平成３１年　３月２７日：取消理由通知書〈決定の予告〉（起案日）
令和　１年　６月　３日：特許権者による意見書及び訂正請求書の提出
　　　　　　　　　　　　（以下「本件訂正請求」という。）
令和　１年　８月１４日：訂正拒絶理由通知書（起案日）
令和　１年　９月１８日：特許権者による意見書の提出
令和　１年１１月２５日：申立人による意見書の提出
  
  
第２　訂正の適否 
１　訂正の内容 
　本件訂正請求による訂正内容は、以下の（１）〜（６）のとおりである（下線は訂正箇所を示す。）  
（１）訂正事項１ 
　特許請求の範囲の請求項１を、 
「引き違い窓または上げ下げ窓として構成された窓の防火構造において、 
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面
であって、かつ前記室内側障子の召し合せ框の煙返しの根本側で、室内外方向に見て前記煙返しと重ならない箇所に、
　前記取付け溝に、加熱により発泡して召し合せ框どうしの隙間を閉塞する加熱発泡材が、その両脇を前記取付け溝の両脇の曲成部に嵌め込んで取付けら
れ、 
　火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する
（請求項１を引用する請求項３も同様に訂正する） 
（２）訂正事項２ 
　特許請求の範囲の請求項２を請求項１の従属請求項から独立請求項とし、 
「請求項１に記載の窓の防火構造において、」を、 
「
引き違い窓または上げ下げ窓として構成された窓の防火構造において、 
　室外側障子と室内側障子の各召し合せ框に、障子が閉じた状態において互いに相手の裏面側どうしが対面するように交差する煙返しを備えると共に、
　
前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　
前記取付け溝に、加熱により発泡して召し合せ框どうしの隙間を閉塞する加熱発泡材が、その両脇を前記取付け溝の両脇の曲成部に嵌め込んで取付けられ、
（請求項２を引用する請求項３も同様に訂正する） 
（３）訂正事項３ 
　特許請求の範囲の請求項４を、 
「引き違い窓または上げ下げ窓として構成された窓の防火構造において、 
　
室外側障子と室内側障子の各召し合せ框に、障子が閉じた状態において互いに相手の裏面側どうしが対面するように交差する煙返しを備え、
　
前記
前記
対向面であって、かつ前記室内側障子の召し合せ框の煙返しの根本側で、室内外方向に見て前記煙返しと重ならない箇所に、前記室内側障子の煙返しの室外側面よりも室内側に位置する取付け面を備え、
　
前記取付け面に、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有し、
　前記室内側障子の召し合せ框に、非防火性クレセントが取付けられていることを特徴とする窓の防火構造。」と訂正する。 
（４）訂正事項４ 
　明細書の段落【００１０】を、 
「請求項１の窓の防火構造は、引き違い窓または上げ下げ窓として構成された窓の防火構造において、 
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面
であって、かつ前記室内側障子の召し合せ框の煙返しの根本側で、室内外方向に見て前記煙返しと重ならない箇所に、
　前記取付け溝に、加熱により発泡して召し合せ框どうしの隙間を閉塞する加熱発泡材が、その両脇を前記取付け溝の両脇の曲成部に嵌め込んで取付けら
れ、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する
（５）訂正事項５
　明細書の段落【００１１】を、 
「請求項２の窓の防火構造は、
引き違い窓または上げ下げ窓として構成された窓の防火構造において、 
　
室外側障子と室内側障子の各召し合せ框に、障子が閉じた状態において互いに相手の裏面側どうしが対面するように交差する煙返しを備えると共に、
　
前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　
前記取付け溝に、加熱により発泡して召し合せ框どうしの隙間を閉塞する加熱発泡材が、その両脇を前記取付け溝の両脇の曲成部に嵌め込んで取付けられ、
　前記室外側障子の召し合せ框における、前記室内側障子の召し合せ框との対向面にも加熱により発泡して召し合せ框どうしの隙間を閉塞する加熱発泡材が設けられていることを特徴とする。」に訂正する。
（６）訂正事項６
　明細書の段落【００１３】を、 
「請求項４の窓の防火構造は、引き違い窓または上げ下げ窓として構成された窓の防火構造において、 
　
室外側障子と室内側障子の各召し合せ框に、障子が閉じた状態において互いに相手の裏面側どうしが対面するように交差する煙返しを備え、
　前記室内側障子の召し合せ框における、
前記
対向面であって、かつ前記室内側障子の召し合せ框の煙返しの根本側で、室内外方向に見て前記煙返しと重ならない箇所に、前記室内側障子の煙返しの室外側面よりも室内側に位置する取付け面を備え、
　
前記取付け面に、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有し、
　前記室内側障子の召し合せ框に、非防火性クレセントが取付けられていることを特徴とする。」と訂正する。
２　訂正の目的の適否、一群の請求項及び特許請求の範囲の拡張・変更の存否、新規事項の有無
（１）訂正事項１
　ア　訂正の目的の適否について　　 
　訂正事項１は、請求項１において、（１−１）「取付け溝」の位置について、「前記室内側障子の召し合せ框の煙返しの根本側で、室内外方向に見て前記煙返しと重ならない箇所に」限定し、さらに、（１−２）「窓の防火構造」として、「火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する」ものに限定する訂正であるから、特許請求の範囲の減縮を目的とするものである。
　イ　特許請求の範囲の拡張・変更の存否について
　訂正事項１は、上記アのとおり、「取付け溝」や「窓の防火構造」を限定する訂正であって、カテゴリーや対象、目的を変更するものではないから、実質上特許請求の範囲を拡張し、または変更するものではない。
　ウ　新規事項の有無について
　訂正事項１の（１−１）に関し、本件特許図面（図２）を参照すると、引き違い窓については、取付け溝が、室内側障子の召し合せ框の煙返しの根本側であって、室内外方向に見て煙返しと重ならない箇所に設けられていることが看取でき、また、上げ下げ窓については、「【００３６】上記の実施の形態においては、引き違い窓に本発明の防火構造を適用した例について示したが、本発明は、図６の縦断面図に示すように、上げ下げ窓にも適用することができる。・・・」と記載されていることから、願書に添付した明細書、特許請求の範囲または図面（以下「明細書等」という。）に記載した事項の範囲内の訂正である。
　次に、（１−２）に関し、発明の詳細な説明には、
「【００１６】また、内外の召し合せ框間の隙間が発泡体によって充填されることにより、召し合せ框どうしを離反させる力が発生し、これにより、内外の召し合せ框にそれぞれ形成した煙返しどうしが圧接する。これにより、煙返しどうしの摩擦抵抗が増大すると共に、この摩擦抵抗に、発泡体と召し合せ框との間で発生する摩擦抵抗が加わり、その結果、内外の召し合せ框どうしの間に大きな摩擦抵抗が発生し、障子が開き難くなる。・・・」と記載されていることから、明細書等に記載した事項の範囲内の訂正である。
  
（２）訂正事項２
　ア　訂正の目的の適否
　訂正事項２は、訂正前の請求項２が、請求項１を引用するものであるところ、該請求項１の記載を加えて請求項１を引用しないものとする訂正であるから、他の請求項の記載を引用する請求項の記載を当該他の請求項の記載を引用しないものとすることを目的とするものである。
イ　特許請求の範囲の拡張・変更の存否及び新規事項について
　訂正事項２は、上記アのとおりであるから、実質上特許請求の範囲を拡張し、または変更するものではなく、新規事項の追加に該当しないことは明らかである。
  
（３）訂正事項３
　ア　訂正の目的の適否
　訂正事項３は、請求項４において、（３−１）「窓の防火構造」について、「前記室内側障子と室外側障子の各召し合せ框に、障子が閉じた状態において互いに相手の裏面側同士が対面するように交差する煙返しを備え」るものであって、「火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有」するものに限定し、さらに、（３−２）「加熱発泡材」が設けられる位置について、「前記室外側障子の召し合せ框との対向面であって、かつ前記室内側障子の召合わせ框の煙返しの根本側で、室内が方向に見て前記煙返しと重ならない箇所に、前記室内側障子の煙返しの室外側面よりも室内側に位置する取付け面」に限定するものであるから、特許請求の範囲の減縮を目的とするものである。
　イ　特許請求の範囲の拡張・変更の存否について
　訂正事項３は、上記アのとおり、「窓の防火構造」及び「加熱発泡材」を限定するものであって、カテゴリーや対象、目的を変更するものではないから、実質上特許請求の範囲を拡張し、または変更するものではない。
　ウ　新規事項の有無について
　訂正事項３の（３−１）に関し、発明の詳細な説明には、 
「【００２８】・・・２４，２５はそれぞれ召し合せ框８，１３における相互の対向面に形成した煙返しであり、障子５，６を閉じた状態において、それぞれ煙返し２４，２５は相手の裏側の面（框８，１３の対向面の反対側の面）に対面するように交差させて係合させるものである。」、
「【００１６】また、内外の召し合せ框間の隙間が発泡体によって充填されることにより、召し合せ框どうしを離反させる力が発生し、これにより、内外の召し合せ框にそれぞれ形成した煙返しどうしが圧接する。これにより、煙返しどうしの摩擦抵抗が増大すると共に、この摩擦抵抗に、発泡体と召し合せ框との間で発生する摩擦抵抗が加わり、その結果、内外の召し合せ框どうしの間に大きな摩擦抵抗が発生し、障子が開き難くなる。・・・」と記載されていることからみて、明細書等に記載した事項の範囲内の訂正である。
　また、（３−２）に関し、本件特許図面（図２）を参照すると、引き違い窓の実施の形態ではあるが、取付け溝において、室外側障子の召し合せ框に対向した面（「取付け面」に相当。）が、室内側障子の召し合せ框の煙返しの根本側であって、室内外方向に見て煙返しと重ならない箇所に、室内側障子の煙返しの室外側面よりも室内側に位置することが看取でき、また、上げ下げ窓については、「【００３６】上記の実施の形態においては、引き違い窓に本発明の防火構造を適用した例について示したが、本発明は、図６の縦断面図に示すように、上げ下げ窓にも適用することができる。・・・」と記載されていることから、明細書等に記載した事項の範囲内の訂正である。
  
（４）訂正事項４〜６
　訂正事項４〜６は、それぞれ、上記訂正事項１〜３に係る請求項１、２、４の訂正に伴い、特許請求の範囲の記載と明細書の記載との整合を図るための訂正であるから、明瞭でない記載の釈明を目的としたものであって、実質上特許請求の範囲を拡張し、又は変更するものではなく、明細書等に記載した事項の範囲内の訂正であることは明らかである。
（５）　一群の請求項について 
　本件訂正前の請求項〔１〜３〕は、請求項２及び３が請求項１の記載を直接または間接的に引用する関係にあるから、一群の請求項に該当するものである。
（６）　小括 
　したがって、本件訂正請求は、特許法第１２０条の５第２項ただし書第１号、第３号、又は第４号に掲げる事項を目的とするものであり、かつ、同条第９項で準用する同法第１２６条第５項及び第６項の規定に適合するので、訂正後の請求項〔１〜３〕、４について訂正を認める。
  
  
第３　特許異議の申立てについて  
１　訂正後の請求項１ないし４に係る発明 
　上記第２のとおり本件訂正請求による訂正は認められるから、本件訂正請求により訂正された請求項１ないし４に係る発明（以下「本件特許発明１」等といい、全体を「本件特許発明」という。）は、その特許請求の範囲の請求項１ないし４に記載された次の事項により特定されるとおりのものである。
「【請求項１】 
　引き違い窓または上げ下げ窓として構成された窓の防火構造において、 
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面であって、かつ前記室内側障子の召し合せ框の煙返しの根本側で、室内外方向に見て前記煙返しと重ならない箇所に、前記室内側障子の煙返しの室外側面よりも室内側へ凹み、両脇が断面略コ字形に曲成された取付け溝を備え、
　前記取付け溝に、加熱により発泡して召し合せ框どうしの隙間を閉塞する加熱発泡材が、その両脇を前記取付け溝の両脇の曲成部に嵌め込んで取付けられ、
　火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する
　ことを特徴とする窓の防火構造。 
【請求項２】 
　引き違い窓または上げ下げ窓として構成された窓の防火構造において、 
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　前記取付け溝に、加熱により発泡して召し合せ框どうしの隙間を閉塞する加熱発泡材が、その両脇を前記取付け溝の両脇の曲成部に嵌め込んで取付けられ、
　前記室外側障子の召し合せ框における、前記室内側障子の召し合せ框との対向面にも加熱により発泡して召し合せ框どうしの隙間を閉塞する加熱発泡材が設けられていることを特徴とする窓の防火構造。
【請求項３】 
　請求項１または２に記載の窓の防火構造において、 
　前記加熱発泡材は、発泡温度が２５０℃以下であることを特徴とする窓の防火構造。 
【請求項４】 
　引き違い窓または上げ下げ窓として構成された窓の防火構造において、
　室外側障子と室内側障子の各召し合せ框に、障子が閉じた状態において互いに相手の裏面側どうしが対面するように交差する煙返しを備え、
　前記室内側障子の召し合せ框における、前記室外側障子の召し合せ框との対向面であって、かつ前記室内側障子の召し合せ框の煙返しの根本側で、室内外方向に見て前記煙返しと重ならない箇所に、前記室内側障子の煙返しの室外側面よりも室内側に位置する取付け面を備え、
　前記取付け面に、加熱により発泡して召し合せ框どうしの隙間を閉塞する加熱発泡材が設けられており、 
　火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有し、
　前記室内側障子の召し合せ框に、非防火性クレセントが取付けられていることを特徴とする窓の防火構造。」
２　取消理由の概要
　訂正前の請求項１、３、４に係る特許に対して、平成３１年３月２７日付けで特許権者に通知した取消理由の要旨は次のとおりである。
（１）取消理由１　特許法第２９条の２（拡大先願） 
　本件請求項１、３、４に係る発明は、いずれも甲第１号証に記載された発明と同一である。 
　よって、本件請求項１、３、４に係る特許は、特許法第２９条の２の規定に違反してされたものであり、取り消されるべきものである。
（２）取消理由２　特許法第２９条第２項（進歩性欠如） 
　本件請求項４に係る発明は、甲第２号証に記載された発明及び甲第３，４号証に記載された周知技術並びに甲第８ないし１０号証に記載された技術事項に基づいて、当業者が容易に発明をすることができたものである。
　よって、本件請求項４に係る特許は、特許法第２９条第２項の規定に違反してされたものであり、取り消されるべきものである。
［各甲号証］ 
　甲第１号証：特願２０１３−９８８８２号
　　　　　　　（特開２０１４−２１８８３２号） 
　甲第２号証：特開２０１３−７９５６３号公報 
　甲第３号証：特開２００５−３５１００８号公報 
　甲第４号証：特開２０１２−２０２１９０号公報 
　甲第５号証：特開２０１３−５３４２０号公報 
　甲第６号証：特開２０１３−７２２１８号公報 
　甲第７号証：特開２０１３−１２７１６７号公報 
　甲第８号証：特開２００２−１８０７５５号公報 
　甲第９号証の１：平成１４年２月１日付け認定書（国住指第１６４０号）
　甲第９号証の２：認定書の別添書類（認定番号ＥＢ−９１１２仕様の
　　　　　　　概要） 
　甲第９号証の３：認定書の別添書類（認定番号ＥＢ−９１１３仕様の
　　　　　　　概要） 
　甲第１０号証：特開２００９−８４７８５号公報 
３　取消理由についての判断 
（１）各甲号証の記載事項 
　ア　甲第１号証  
　甲第１号証（特願２０１３−９８８８２号（特開２０１４−２１８８３２号））には、以下の記載がある（本決定で下線を付与。以下同様。）
（ア）「【０００９】
　本発明の実施形態に係る上げ下げ窓を
防火
上げ下げ窓
　図１は、本発明の実施形態に係る上げ下げ窓１００の室内側全体正面図である。図２は、図１に示した上げ下げ窓１００のＡ−Ａ線に沿った縦断面図である。図３（ａ）は本発明の実施形態に係る上げ下げ窓１００の横断面図である。詳細には、図３（ａ）は図１に示したＢ−Ｂ線に沿った断面模式図、図３（ｂ）は図２に示したＣ−Ｃ線に沿った断面模式図である。」
（イ）「【００１３】
＜外障子２＞
　外障子２は、上障子として機能し、上框２１、下框２２、竪框２３，２４を四周枠組みして構成されている。外障子２は、各框により区画された区画内にガラスパネル２５（パネル）を装着して構成されている。
＜内障子３＞
　内障子３は、下障子として機能し、上框３１、下框３２、竪框３３，３４を四周枠組みして構成されている。内障子３は、各框により区画された区画内にガラスパネル３５（パネル）を装着して構成されている。」
（ウ）「【００１９】
＜施錠金具７（クレセント）＞ 
　図１、図２に示したように、外障子２（上障子）の下框（召し合せ框）と、内障子３（下障子）の上框３１（召し合せ框）は、
施錠金具７（クレセント）
内障子３（下障子）の上框３１（召し合せ框）
にクレセント本体金具７１が設けられている
（エ）「【００２３】
　外障子２の下框２２は、アルミニウム合金などの押出形材の金属框であり、図４に示したように、断面略四角筒形状に形成されており、中空部２２ｋ内に金属材料からなる補強材２２３を備えている。外障子２の下框２２の上部には、シール部材６を介してパネル２５を挟持する凹部２２ａが設けられており、その凹部２２ａにパネル２５としてガラスが設けられている。本実施形態では、シール部材６と下框２２との間に、ステンレス鋼（ＳＵＳ）などの金属材により形成された、間口補強材６１が設けられている。
　
外障子２の下框２２は、内障子側の側面部に煙返し２２ｂが設けられており
　本実施形態では、外障子２の下框２２には、図４に示したように、室内側角部に切り欠け状の段部が形成されている。外障子側金具８２（上障子側金具）は、外障子２の下框２２の下面側の段部に対応する形状に形成されており、下框２２の下面側の段部に固定部材９０２，９０３，９０４などにより固定さている。」
（オ）「【００２６】
　
内障子３の上框３１は、外障子側の側面部に煙返し３１ｂが設けられている。内障子３と外障子２が閉鎖状態の場合、内障子３の煙返し３１ｂと外障子２の煙返し２２ｂが係合するように構成されている
　また、内障子３の上框３１（樹脂上框３１２）の室外側の側面部の上部には、先端部が室外側に向かって延びるパッキンなどの気密部材９５１が設けられている。」
（カ）「【００２９】
＜内障子側金具８３（下障子側金具）＞
　図４、図５、図６、図７に示したように、
反り防止金具８０の内障子側金具８３
内障子３の竪框３４（３３）の上部（召し合せ部）の外障子２側（室外側）に設けられている
（キ）「【００３２】
　また、本実施形態では、図７に示したように、
内障子側金具８３
に、熱膨張耐火材９を設け
熱膨張耐火材９としては
２００℃以上に加熱されると発泡
（ク）「【００４２】
　また、
火災時、
熱膨張耐火材９ａが熱により発泡して
外障子２の下框２２の室内側側面と、内障子３の上框３１の室外側側面との間の空間を埋めて
　このため、火災時であって、外障子２と内障子３の召し合せ部の気密性を確実に維持することができる。」 
（ケ）「【００４８】
　さらに、
内外障子（３，２）の召し合せ框間と内障子側金具８３には、熱膨張耐火材９が設けてあるため、火災時には、召し合せ部の隙間を熱膨張耐火材９で連続して塞ぐことができ
（コ）図４は次のとおりである。
（サ）上記（コ）の図４を参照すると、内障子３の召し合せ框３１における、外障子２の召し合せ框２２の煙返し２２ｂとの対向面に、内障子３の煙返し３１ｂの室外側面よりも室内側へ凹み、両脇が断面略コ字形に曲成された取付け溝が形成されている点、及び該取付け溝に、熱膨張耐火材９ａが取付けられている点が看て取れる。
　また、外障子２と内障子３の各召し合せ框２２，３１に設けられた煙返し２２ｂ，３１ｂは、障子が閉じた状態において互いに相手の裏面側どうしが対面していることが看て取れる。
（シ）上記（ク）の記載からみて、熱膨張耐火材９ａは、熱膨張耐火材９と同様に火災時に膨張するから、上記（キ）における熱膨張耐火材９と同様に、２００℃以上に加熱されると発泡すると認められる。
（ス）上記（ア）ないし（シ）からみて、甲第１号証には以下の発明（以下、「甲１発明」という。）が記載されていると認める。
「上げ下げ窓として構成された窓の防火構造において、 
　外障子２と内障子３の各召し合せ框２２，３１に、障子が閉じた状態において互いに相手の裏面側どうしが対面する煙返し２２ｂ，３１ｂを備えると共に、
　前記内障子３の召し合せ框３１における、前記外障子２の召し合せ框２２の煙返し２２ｂとの対向面に、前記内障子３の煙返し３１ｂの室外側面よりも室内側へ凹み、両脇が断面略コ字形に曲成された取付け溝を備え、
　前記取付け溝に、熱により発泡して外障子２の召し合せ框２２の室内側側面と、内障子３の召し合せ框３１の室外側側面との間の空間を埋める熱膨張耐火材９ａが取付けられ、
　内障子３の竪框３４（３３）の上部（召し合せ部）の外障子２側（室外側）に、反り防止金具８０の内障子側金具８３が設けられ、内障子側金具８３に、熱膨張耐火材９を設けており、
　熱膨張耐火材９ａは２００℃以上に加熱されると発泡するものであって、
　前記内障子３の召し合せ框３１に、クレセント７が取付けられている
　窓の防火構造。」 
イ　甲第２号証 
　甲第２号証（特開２０１３−７９５６３号公報）には、以下の記載がある。 
（ア）「【００１０】
　以下、本発明の実施の形態を図面に基づいて説明する。図１〜３は、本発明の建具の一実施形態に係る
引違い
（イ）「【００１７】
　さらに、各框のガラス溝２０内には、図１，２，４に示すように、グレチャン２２の内側面と複層ガラス２１の室外側の見付面との間の全長に、熱に反応して発泡・膨張する耐火材３４ａが設けてある。かかる熱発泡性の耐火材３４ａは、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。熱発泡性の耐火材３４ａは、グレチャン２２と複層ガラス２１の見付面の間に単に差し入れてもよいし、グレチャン２２の内側面若しくは複層ガラス２１の見付面に予め接着しておいてもよい。」
（ウ）「【００２１】
　また下框１７ａ，１７ｂは、図１，４に示すように、外周側にレール９，１０を呑み込む溝３９が形成してあり、溝３９の下縁に沿ってタイト材４０が設けてあり、タイト材４０の上方に熱発泡性の耐火材３４ｄが設けてある。耐火材３４ｄは、下框１７ａ，１７ｂの全長に連続して設けてある。火災時には、図８に示すように、耐火材３４ｄが膨張して下框１７ａ，１７ｂとレール９，１０間の隙間を塞ぐ。タイト材４０は、焼結クロロプレンゴムで形成されており、火災時でも燃えないものとなっている。上框１６ａ，１６ｂも、外周側にレール９，１０を呑み込む溝３９が形成してあり、その溝３９の室内側の側面に熱発泡性の耐火材３４ｅが設けてあり、火災時にはこの耐火材３４ｅが発泡・膨張して溝３９内の隙間を塞ぐ。さらに、図１に示すように、上枠４の下面にも熱発泡性の耐火材３４ｈが設けてあり、火災時にはこの耐火材３４ｈが発泡・膨張し、上枠４の下面と障子２，３間の隙間を遮蔽する。
　戸先框１８ａ，１８ｂは、図２に示すように、外周側に竪枠６の突条４１を呑み込む溝４２が形成してあり、その溝４２の底面に熱発泡性の耐火材３４ｆが戸先框１８ａ，１８ｂの全長に連続して設けてあり、火災時にはこの耐火材３４ｆが発泡して膨張し、竪枠６と戸先框１８ａ，１８ｂ間の隙間を塞ぐ。
　
外障子２の召し合せ框１９ａの室内側面には、煙返しの近傍と内周側の縁部とに熱発泡性の耐火材３４ｇが
設けてあり、火災時にはこの耐火材３４ｇが発泡して膨張し、内外障子の召し合せ框１９ａ，１９ｂ間の隙間を塞ぐ
　このように本サッシは、火災時に下框１７ａ，１７ｂ及び上框１６ａ，１６ｂとレール９，１０との隙間、上枠４の下面と障子２，３間の隙間、戸先框１８ａ，１８ｂと竪枠６の隙間、内外障子の召し合せ框１９ａ，１９ｂの隙間が、耐火材３４ｄ，３４ｅ，３４ｆ，３４ｇ，３４ｈによってそれぞれ塞がれるので、上下框１６ａ，１６ｂ，１７ａ，１７ｂと上下枠４，５間、戸先框１８ａ，１８ｂと竪枠６間、及び内外障子の召し合せ框１９ａ，１９ｂ間から、火炎や煙等が室外から室内へ又は室内から室外へ侵入するのを防ぎ、
防火
（エ） 図２は以下のとおりである。
（オ）上記（エ）の図２を参照すると、外障子２と内障子３の各召し合せ框１９ａ，１９ｂに、障子が閉じた状態において互いに相手の裏面側どうしが対面する煙返しを備える点、及び、外障子２の召し合せ框１９ａにおける、内障子３の召し合せ框１９ｂとの対向面に、耐火材３４ｇが取付けられている点が看て取れる。
　また、内障子３の召し合せ框１９ｂに、クレセントが取付けられていることが看て取れる。 
（カ）上記（ア）ないし（オ）からみて、甲第２号証には以下の発明（以下「甲２発明」という。）が記載されていると認める。
「引違い窓として構成された窓の防火構造において、 
　外障子２と内障子３の各召し合せ框１９ａ，１９ｂに、障子が閉じた状態において互いに相手の裏面側どうしが対面する煙返しを備え、
　外障子２の召し合せ框１９ａにおける、内障子３の召し合せ框１９ｂとの対向面に、火災時に発泡して召し合せ框間の隙間を塞ぐ耐火材３４ｇが設けられており、
　前記内障子３の召し合せ框１９ｂに、クレセントが取付けられている、 
　窓の防火構造。」 
ウ　甲第３号証 
　甲第３号証（特開２００５−３５１００８号公報）には、以下の記載がある。 
（ア）「【００１３】
　本発明の合成樹脂製
引違い窓
熱膨張性耐火材層が熱膨張して、上記両召合せ框の間隙に双方から膨出し
（イ）「【００２３】
　本発明の最大の特徴は、斯様な構造をした合成樹脂製引違い窓において、
外障子召合せ框(4)の室内側壁部(14)及び内障子召合せ框(4')の屋外側壁部(14')の各内壁面(15)(15')又はこれら内壁面に近接させて、熱膨張性耐火材層(16)(16')を各内設し
（ウ）「【００２５】
　すなわち、前述の如く熱膨張性耐火材層(16)(16')は、外障子召合せ框(4)の室内側壁部(14)及び内障子召合せ框(4')の屋外側壁部(14')の各内壁面(15)(15')又はこれらに近接させて設けてあるので、この熱膨張した該熱膨張性耐火材(19)(19')がこれら壁部(14)(14')から膨出する。この時、上記したように熱膨張性耐火材層(16)(16')は、各召合せ框(4)(4')の壁部(14)(14')を挟んでそれぞれの少なくとも一部が対面するように設けてあるため、双方の壁部(14)(14')から膨出した各熱膨張性耐火材(19)(19')は
両召合せ框(4)(4')間の間隙(17)に各々広がって合着し、該間隙(17)を密閉性良く閉鎖
（エ）上記（ア）ないし（ウ）からみて、甲第３号証には、以下の点が記載されていると認められる。
「引違い窓において、外障子召合せ框(4)の室内側壁部(14)及び内障子召合せ框(4')の屋外側壁部(14')の各内壁面(15)(15')又はこれら内壁面に近接させて、火災時に熱膨張する熱膨張性耐火材層(16)(16')を各内設し、熱膨張性耐火材層(16)(16')が熱膨張して両召合せ框(4) (4')間の間隙(17)に各々広がって合着し、該間隙(17)を密閉性良く閉鎖する点。」 
エ　甲第４号証 
　甲第４号証（特開２０１２−２０２１９０号公報）には、以下の記載がある。 
（ア）「【００１０】
　以下、本発明の実施の形態を図面に基づいて説明する。本実施による
サッシ用気密材９〜１２は、引違い窓サッシに適用されている
内外障子４ａ，４ｂの召し合わせ側の縦框５同士の間
　【００１１】 
　上述したとシール材９にタイト材８，１０，１１，１２ついて、このうちの図１中Ａで囲む位置に取り付けてあるシール材９と、図１中Ｂで囲む位置に取り付けてあるタイト材１２について説明する。図１（ａ）に示すものは、図２もあわせて参照すれば、外障子４ｂ下框７の戸車収納部７ａの室外側壁部内周下端に設けてある気密材ホルダー７ｂに保持されるシール材９であり、気密材ホルダー７ｂに保持されるブロック状をなす基部９ａと、その基部９ａから戸車１４に向けて突出するシール片（突出部）９ｂとからなっており、外障子４ａの下框７の長手方向の全長に渡って配置されている。また、シール材９は、基部９ａが塩化ビニル系樹脂からなり、また、シール片９ｂが塩化ビニル系樹脂に膨張黒鉛（熱膨張耐火成分）を含有したものからなり、基部９ａとシール片９ｂが一体成形されている。」
（イ）「【００１２】
　図２（ｂ）に示すものは、図３もあわせて参照すれば、内外障子４ａ，４ｂの戸先側の縦框５に保持されるタイト材１２であり、縦框５の戸先に設けてある凹状をなす気密材ホルダー５ａに保持されるブロック状の基部１２ａと、その基部１２ａから縦枠３内周に向けて突出する凸部（突出部）１２ｂとからなっており、内外障子４ａ，４ｂの戸当たり側の縦框５長手方向の全長に渡って配置される。そしてタイト材１２は、その基部１２ａがサッシ用のタイト材に一般的に使用されるシリコン系ゴムからなり、また、凸部１２ｂがシリコン系ゴムに膨張黒鉛を含有したものからなり、基部１２ａと凸部１２ｂが一体成形されている。そして、上記のシール材９やタイト材１２及びその他、
膨張黒鉛（熱膨張耐火成分）を含有したサッシ用気密材を、
火災時には、その膨張黒鉛が膨張して隙間や間隔を塞ぎ、
（ウ）上記（ア）及び（イ）からみて、甲第４号証には、以下の点が記載されていると認められる。
「引違い窓サッシにおいて、内外障子４ａ，４ｂの召し合わせ側の縦框５同士の間に、火災時に膨張して両縦框間の隙間を塞く膨張黒鉛（熱膨張耐火成分）を含有したサッシ用気密材を配置する点。」
オ　甲第５号証 
　甲第５号証（特開２０１３−５３４２０号公報）には、以下の記載がある。 
（ア）　「【００３１】
［Ｂ−４］ガイドレールの熱膨張耐火部材 
　
ガイドレール３の側辺３０の内面には、内部空間の開口側に位置してポケット部３５が形成されており、ポケット部３５には、難燃性の熱膨張耐火部材８が収容されている
熱膨張耐火部材８は、例えば、温度が１５０℃〜２５０℃の温度に加熱されることで発泡して膨張する材である
（イ）図５は以下のとおりである。
（ウ）上記（イ）の図５を参照すると、ポケット部３５は、両脇が断面略コ字形に曲成された取付け溝であり、熱膨張耐火部材８が、その両脇を前記取付け溝（ポケット部３５）の両脇の曲成部に嵌め込んで取付けられている点が看て取れる。
カ　甲第６号証 
　甲第６号証（特開２０１３−７２２１８号公報）には、以下の記載がある。 
（ア）「【００２５】
　図１８を参照して、本発明の第３実施の形態を説明する。図１８は第３実施の形態にかかるサッシ１の下枠１５及び下框７を示したものであり、第４熱膨張耐火材３２ｄは、下框７の室内側見付け面と見込み面とのコーナ部７ｃに対向して配置してあり、火災時期に膨張してアルミニウム製の下框７のコーナ部７ｃに当接するようにしたものである。また、
第４熱膨張耐火材３２ｄは、熱膨張耐火材保持具４３に嵌合固定してあり、経年劣化による脱落を防止してあ
（イ）図１８は以下のとおりである。
（ウ）上記（イ）の 図１８を参照すると、熱膨張耐火材保持具４３には、両脇が断面略コ字形に曲成された取付け溝が形成され、第４熱膨張耐火材３２ｄが、その両脇を前記取付け溝の両脇の曲成部に嵌め込んで取付けられている点が看て取れる。
キ　甲第７号証 
　甲第７号証（特開２０１３−１２７１６７号公報）には、以下の記載がある。 
（ア）「【００１６】
　戸先框１０は、図１に示すように、室外側面に戸先側に突出する煙返し２７が設けてあり、煙返し２７により竪枠５と戸先框１０の見込面５ａ，１０ａ間の隙間を塞いでいる。煙返し２７の先端部には不燃性タイト材４６が設けてあり、不燃性タイト材４６の先端部が竪枠５の室外側面に当接している。
煙返し２７の室内側面には、熱膨張性耐火材４７が長手方向に沿って設けてある
（イ）図１は以下のとおりである。
（ウ）上記（イ）の図１を参照すると、煙返し２７の室内側面には、両脇が断面略コ字形に曲成された取付け溝が形成され、熱膨張性耐火材４７が、その両脇を前記取付け溝の両脇の曲成部に嵌め込んで取付けられている点が看て取れる。
ク　甲第８号証 
　甲第８号証（特開２００２−１８０７５５号公報）には、以下の記載がある。 
（ア）「【００２７】
　上記クレセント受け具６０は、図６に示すように、一例として横長の長方形平板からなり、平板の右半部を取付基部６３とすると共に、左半部に上記クレセント５０の掛け金具５１が回動挿入される開口部６２を形成し、かつ、この開口部６２に向けて突出する係合突片６１を中央部に設けてなるもので、外障子１０Ａの召合框１１ｄの屋内面に対し、上記取付基部６３をビス固定することにより外障子１０Ａに取付けてなる。すなわち、図５に示すように、上記取付基部６３を外障子１０Ａの召合框１１ｄの屋内面の中間部に当接させてビス固定することにより、クレセント受け具６０は側方に突出するようにして、外障子１０Ａに取り付けられる。なお、
上記クレセント錠を構成するクレセント５０とクレセント受け具６０の構成は、特に限定されるものではなく、任意の形態変更が可能であり、また、これらは、ステンレススチールや亜鉛ダイカスト等の金属部材から形成される
ケ　甲第９号証の１ないし３
　甲第９号証の１ないし３は、カーテンウォール・防火開口部協会が国土交通大臣に申請したアルミニウム合金製はめ殺し窓等の構造方法等に対して、国土交通大臣が該窓等の構造方法等が建築基準法に適合することを認めた認定書（平成１４年２月１日付け認定書（国住指第１６４０号））で、甲第９号証の１は当該認定書の本紙であり、甲第９号証の２は認定番号「ＥＢ−９１１２」「アルミニウム合金製引き窓」の仕様についての別添、甲第９号証の３は認定番号「ＥＢ−９１１３」「アルミニウム合金製上げ下げ窓」の仕様についての別添であって、一体のものと認められる。  
　甲第９号証の１ないし３には、以下の記載がある。 
（ア）「下記の構造方法又は建築材料については、建築基準法第６８条の２６第１項（同法第８８条第１項において準用する場合を含む。）の規定に基づき、同法第２条第九号の二ロ及び同施行令第１０９条の２（２０分間の遮炎性能を有する
防火設備
　　　　　　　　　　　　　　　　　　記  
１．認定番号　　　　　　　２．認定をした構造方法又は建築材料の名称
　　ＥＢ−９１１１　　　　　　　　アルミニウム合金製はめ殺し窓 
　　
ＥＢ−９１１２
アルミニウム合金製引き窓
　　
ＥＢ−９１１３
アルミニウム合金製上げ下げ窓
・・・
３．認定をした構造方法又は建築材料の内容 
　　　別添の通り」（甲第９号証の１、１行〜最下行） 
（イ）「１．適用範囲　本仕様書は、建築基準法第２条第九号の二ロ及び同法施行令第１０９条の２（２０分間の遮炎性能を有する防火設備）に規定するアルミニウム合金製
引き窓
（ウ）　「（８）
戸を拘束する部品（クレセント、グレモン錠等）　戸を拘束する部品のうち、戸を閉じた状態に保つために必要な部分は、鋼、ステンレス鋼、黄銅、もしくは融点がこれらと同等以上の金属製とする
ただし、召合せ部に煙返しを有し、その構造が５．２（３）（ｂ）による場合は、召合せ部を拘束する部品のうち、戸を閉じた状態に保つために必要な部分をアルミニウム合金、亜鉛もしくは融点がこれらと同等以上の金属製とすることができる
（エ）「５．３　かかりしろ
・・・
（２）召合せの構造　召合せの構造は、以下による。 
　（ａ）　召合せに煙返しがない場合には、４．２（８）に規定する部品を使用する等により、防火上有害な変形を生じないものを用いる。
　（ｂ）　召合せに煙返しを設ける場合には、かかりしろは３ｍｍ以上とする。」（甲第９号証の２、８頁１〜７行） 
（オ）「１．適用範囲　本仕様書は、建築基準法第２条第九号の二ロ及び同法施行令第１０９条の２（２０分間の遮炎性能を有する防火設備）に規定するアルミニウム合金製
上げ下げ窓
（カ）「（８）
戸を拘束する部品（クレセント等）　戸を拘束する部品のうち、戸を閉じた状態に保つために必要な部分は、鋼、ステンレス鋼、黄銅、もしくは融点がこれらと同等以上の金属製とする
ただし、召合せ部に煙返しを有し、その構造が５．２（２）（ｂ）による場合は、召合せ部を拘束する部品のうち、戸を閉じた状態に保つために必要な部分をアルミニウム合金、亜鉛もしくは融点がこれらと同等以上の金属製とすることができる
（キ）「５．３　かかりしろ
・・・ 
（２）召合せの構造　召合せの構造は、以下による。 
　（ａ）　召合せに煙返しがない場合には、４．２（８）に規定する部品を使用する等により、防火上有害な変形を生じないものを用いる。
　（ｂ）　召合せに煙返しを設ける場合には、かかりしろは３ｍｍ以上とする。」（甲第９号証の３、７頁１行〜７頁７行） 
（ク）上記（ア）ないし（キ）からみて、甲第９号証の１ないし３には、以下の点が記載されていると認められる。
「防火設備（引き窓及び上げ下げ窓）において、他の構成（煙返し部分の構成）によって十分な防火性能を得られるのであれば、戸を拘束する部品（クレセント等）について、アルミニウム合金、亜鉛もしくは融点がこれらと同等以上の金属製としてもよい点。」
コ　甲第１０号証
　甲第１０号証（特開２００９−８４７８５号公報）には、以下の記載がある。 
（ア）「【０００４】
　ところで、従来のグレモン錠では、ハンドルや錠本体における抵抗によってロッドの下降が防止されているのであるが、火災の熱によってハンドルや錠本体が溶融してしまうと、ロッドの下降を防止する抵抗力が低下してしまう可能性がある。そして、火災時にロッドが下降して施錠状態が解除され、障子が解錠されてしまうと障子が開く可能性があり、火災の激化や延焼などの可能性がある。このため、
従来のグレモン錠では、ハンドルや錠本体の構成部品に防火仕様のものを用いる必要があり、原材料費が高くなったり加工手間が増加したりなど、製造コストが増大するという問題がある
（イ）「【００２２】
　なお、以上において、
各部品を構成する材料としては、防火仕様の材料（火災の熱に対して所定時間以上溶融することなく、主要部に用いることができる材料）と、比較的防火性能の低い材料（火災時に所定時間以内に溶融する可能性がある材料）とが適宜使い分けられている
一方、防火性能の低い材料としては、亜鉛ダイカストや熱可塑性樹脂などが例示できる
　ただし、以上の各種材料は一例であって、他の材料であってもよいし、法令や基準、指針等の改訂や、個別の試験、実験等によって防火性能が認められる（あるいは認められない）場合もある。従って、本発明における各部品を構成する材料としては、前述のものに限定されず、適宜な材料が使用可能である。」
（ウ）「【００２４】
　（２）さらに、操作ハンドル２４や中間作動部２５を防火仕様の材料から製造する必要がなくなり、比較的防火性能の低い材料からなる部品を用いることができるようになる。従って、
原材料費や加工性などに応じて最適な材料選択が可能になり、製造コストの抑制や製造効率の向上を図ることができる。一方、移動規制手段を構成するリンケージバー２６や抑え部品２８、板ばね２８３を融点の高い金属材料から形成しておくことで、開き窓１の防火性能が確保できるので、防火仕様の窓と通常仕様の窓とで操作ハンドル２４や中間作動部２５等が共通化でき、部品の製造コストや管理コストの低減を図ることができる
（エ）上記（ア）ないし（ウ）からみて、甲第１０号証には、以下の点が記載されていると認められる。
「防火仕様の窓において、十分な防火性能を得られる場合には、部品の一部を比較的性能の低い材料（亜鉛ダイカスト）として製造コストや管理コストの低減を図る点。」
  
（２）取消理由１　特許法第２９条の２（拡大先願）について 
ア　本件特許発明１について
　（ア）対比 
　本件特許発明１と甲１発明とを対比する。 
　甲１発明における「外障子２」は、本件特許発明１の「室外側障子」に相当し、同様に「内障子３」は「室内側障子」に、「加熱膨張耐火材９ａ」は「加熱発泡材」に、「煙返し２２ｂ，３１ｂ」は、「煙返し」に相当する。
　そして、甲１発明の煙返し２２ｂは、外障子２の召し合せ框２２の一部分であるから、甲１発明の「内障子３の召し合せ框３１における、外障子２の召し合せ框２２の煙返し２２ｂとの対向面」は、本件特許発明１の「室内側障子の召し合せ框における、前記室外側障子の召し合せ框との対向面」に相当する。
　また、甲１発明における「外障子２の召し合せ框２２の室内側側面と、内障子３の召し合せ框３１の室外側側面との間の空間」は、本件特許発明１の「召し合せ框どうしの隙間」に相当するから、甲１発明で「前記取付け溝に、熱により発泡して外障子２の召し合せ框２２の室内側側面と、内障子３の召し合せ框３１の室外側側面との間の空間を埋める熱膨張耐火材９ａが取付けられ」ていることと、本件特許発明１で「前記取付け溝に、加熱により発泡して召し合せ框どうしの隙間を閉塞する加熱発泡材が、その両脇を前記取付け溝の両脇の曲成部に嵌め込んで取付けられている」こととは、「前記取付け溝に、加熱により発泡して召し合せ框どうしの隙間を閉塞する加熱発泡材が取付けられている」点で共通する。
　したがって、両者は、以下の点で一致する。 
「上げ下げ窓として構成された窓の防火構造において、 
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　前記取付け溝に、加熱により発泡して召し合せ框どうしの隙間を閉塞する加熱発泡材が取付けられている 
　窓の防火構造。」 
　そして、以下の点で相違する。 
　相違点１：取付け溝について、本件特許発明１は、室内側障子の召し合せ框の煙返しの根本側で、室内外方向に見て煙返しと重ならない箇所に設けたのに対し、甲１発明は、そのような特定がされていない点。
　相違点２：加熱発泡材について、本件特許発明１は、その両脇を取付け溝の両脇の曲成部に嵌め込んで取付けられているのに対して、甲１発明は、そのような特定がされていない点。
　相違点３：本件特許発明１は、火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有するのに対して、甲１発明は、そのような特定がされていない点。
（イ）判断
　まず、相違点１について検討する。
　甲１発明が備える熱膨張耐火材９は、竪框３３（３４）の上部に設けられた内障子側金具８３に設けたものであって、仮に、熱膨張耐火材９を取り付けるために取付け溝を設けるとしても、召し合せ框３１に設けるものとはならない。
　また、相違点１に係る構成は、申立人が提示した他の証拠をみても、本件特許の出願前に周知の技術であったとは認められず、課題解決のための具体化手段における微差に過ぎないものとは認められないから、相違点１は実質的な相違点である。
　したがって、相違点２及び３について検討するまでもなく、本件特許発明１は甲１発明と同一ではない。 
イ　本件特許発明３について
　本件特許発明３は、本件特許発明１の構成をすべて含み、さらに「加熱発泡材は、発泡温度が２５０℃以下である」との特定を加えたものであるから、上記アで説示した理由と同じ理由により、甲１発明と同一ではない。
ウ　本件特許発明４について
　（ア）対比 
　本件特許発明４と甲１発明とを対比する。  
　甲１発明における「外障子」は、本件特許発明４の「室外側障子」に相当し、同様に「内障子」は「室内側障子」に、「加熱膨張耐火材９ａ」は「加熱発泡材」に、「煙返し２２ｂ，３１ｂ」は、「煙返し」に相当する。
　また、甲１発明の「クレセント」と、本件特許発明４における「非防火性クレセント」とは、「クレセント」として共通する。 
　さらに、甲１発明の煙返し２２ｂは、外障子２の召し合せ框２２の一部分であるから、甲１発明の「内障子３の召し合せ框３１における、外障子２の召し合せ框２２の煙返し２２ｂとの対向面」は、本件特許発明４の「室内側障子の召し合せ框における、室外側障子の召し合せ框との相互の対向面」に相当する。
　したがって、両者は、以下の点で一致する。 
「上げ下げ窓として構成された窓の防火構造において、 
　室外側障子と室内側障子の各召し合せ框に、障子が閉じた状態において互いに相手の裏面側どうしが対面するように交差する煙返しを備え、
　前記室内側障子の召し合せ框における、前記室外側障子の召し合せ框との相互の対向面に、加熱により発泡して召し合せ框どうしの隙間を閉塞する加熱発泡材が設けられており、
　前記室内側障子の召し合せ框に、クレセントが取付けられている、 
　窓の防火構造。」 
　そして、以下の点で相違する。 
　相違点４：加熱発泡材について、本件特許発明４は、室内側障子の召し合せ框の煙返しの根本側で、室内外方向に見て煙返しと重ならない箇所に備えた、室内側障子の煙返しの室外側面よりも室内側に位置する取付け面に設けたのに対し、甲１発明は、そのように特定されていない点。
　相違点５：クレセントについて、本件特許発明４は、「非防火性クレセント」であるのに対して、甲１発明は、そのような特定がされていない点。  
　相違点６：本件特許発明４は、火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有するのに対して、甲１発明は、そのような特定がされていない点。
　（イ）判断 
　まず、相違点４について検討すると、相違点４に係る構成は、申立人が提示した他の証拠をみても、本件特許の出願前に周知の技術であったとは認められず、課題解決のための具体化手段における微差に過ぎないものとは認められないから、相違点４は実質的な相違点である。
　したがって、相違点５及び６について検討するまでもなく、本件特許発明４は甲１発明と同一ではない。 
エ　まとめ 
　以上のとおり、本件特許発明１、３、４は、いずれも甲第１号証に記載された発明と同一とは認められない。 
（３）取消理由２　特許法第２９条第２項（進歩性欠如）について 
ア　本件特許発明４について
　（ア）対比 
　本件特許発明４と甲２発明とを対比する。 
　甲２発明における「外障子」は、本件特許発明４の「室外側障子」に相当し、同様に「内障子」は「室内側障子」に、「耐火材３４ｇ」は「加熱発泡材」に、「煙返し」は、「煙返し」に相当する。
　そして、甲２発明における「外障子２の召し合せ框１９ａにおける、内障子３の召し合せ框１９ｂとの対向面」と、本件特許発明４における「室内側障子の召し合せ框における、前記室外側障子の召し合せ框との対向面」とは、「一方の障子の召し合せ框における、他方の障子の召し合せ框との対向面」の点で、共通する。
　また、甲２発明の「クレセント」と、本件特許発明４における「非防火性クレセント」とは、「クレセント」として共通する。 
　したがって、両者は、以下の点で一致する。 
「引き違い窓として構成された窓の防火構造において、 
　室外側障子と室内側障子の各召し合せ框に、障子が閉じた状態において互いに相手の裏面側どうしが対面するように交差する煙返しを備え、
　一方の障子の召し合せ框における、他方の障子の召し合せ框との相互の対向面に、加熱により発泡して召し合せ框どうしの隙間を閉塞する加熱発泡材が設けられており、
　室内側障子の召し合せ框に、クレセントが取付けられている 
　窓の防火構造。」 
　そして、以下の点で相違する。 
　相違点７：加熱発泡材について、本件特許発明４は、室内側障子の召し合せ框の煙返しの根本側で、室内外方向に見て煙返しと重ならない箇所に備えた、室内側障子の煙返しの室外側面よりも室内側に位置する取付け面に設けたのに対し、甲２発明は、そのように特定されていない点。
　相違点８：「クレセント」について、本件特許発明４は、「非防火性クレセント」であるのに対して、甲２発明は、非防火性クレセントであるか否かは不明な点。
　相違点９：本件特許発明４は、火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有するのに対して、甲２発明はそのような特定がされていない点。
　（イ）判断 
　まず、相違点７について検討する。
　甲２発明の耐火材３４ｇは、外障子２の召し合せ框１９ａに設けられているところ、甲第３号証及び甲第４号証の記載事項からみて、召し合せ框の外障子側または内障子側のどちらに設けるかは，当業者が適宜選択し得る設計上の事項と認められるから、該耐火材３４ｇを、内障子２の召し合せ框１９ｂに設けることについては、当業者が適宜なし得たことといえる。
　しかし、その際に、該召し合せ框１９ｂの煙返しの根本側で、室内外方向に見て煙返しと重ならない箇所に備えた、煙返しの室外側面よりも室内側に位置する取付け面に設けることについては、申立人が提示したその他の証拠には、記載も示唆もされていないから、相違点７に係る本件特許発明４の構成は、甲２発明やその他の証拠に基いて、当業者が容易になし得たこととは認められない。
　よって、相違点８及び９を検討するまでもなく、本件特許発明４は、甲２発明及び甲第３，４号証に記載された周知技術並びに甲第８ないし１０号証に記載された技術事項に基いて、当業者が容易に発明をすることができたものではない。
第４　むすび 
　以上のとおり、取消理由通知〈決定の予告〉に記載した取消理由又は特許異議申立書に記載された特許異議申立理由によって、本件請求項１、３、４に係る特許を取り消すことはできない。さらに、他に、本件請求項１、３、４に係る特許を取り消すべき理由を発見しない。
　よって、結論のとおり決定する。
【異議決定日】
令和２年１月９日（２０２０．１．９）
【訂正の要旨】
審決（決定）の【理由】欄参照。
（５４）【発明の名称】
窓の防火構造
　【技術分野】
　【０００１】
　本発明は、住宅等の建物に設置される引き違い窓や上げ下げ窓の防火構造に関する。
　【背景技術】
　【０００２】
　建物の引き違い窓等の窓においては、火災発生時に延焼を防止する機能を備えることが要求される。このような延焼防止機能を高める１つの手段として、特許文献１に記載のように、高い耐火性を備えた防火性クレセントを使用するものがある。また、特許文献２には、耐火性の異なる２枚のガラスパネルからなる複層パネルを備えた引き違い窓において、耐火性の高いガラスパネル側から見て、障子の４周の框を全部露出するか、あるいは全部枠に隠れるかいずれかの構成をとることにより、火災発生時の框の温度分布ができるだけ均一になるようにし、もってガラスパネルの割れを防止したものが提案されている。
　【先行技術文献】
　【特許文献】
　【０００３】
　【特許文献１】実公平７−５５２４４号公報
　【特許文献２】特開２０１３−１０８２５９号公報
　【発明の概要】
　【発明が解決しようとする課題】
　【０００４】
　しかしながら、特許文献１に記載のように、防火性クレセントを用いたものは、防火性クレセントが非防火性クレセントに比較して価格が高価となり、コスト高となる上、１棟内に防火性クレセントと非防火性クレセントが混在すると、意匠性を統一することができないという問題点があった。
　【０００５】
　一方、特許文献２に記載の引き違い窓等に非防火性クレセントを用いた場合、次のような問題点がある。図７は引き違い窓を閉じた状態における室内側障子５、室外側障子６の各召し合せ框８，１３の接合部を示す横断面図である。１７は室内側障子５の召し合せ框８に取付けたクレセント、２０は室外側障子６の召し合せ框１３に設けた受け金具である。２４，２５はそれぞれ召し合せ框８，１３どうしの対向面に設けた煙返しであり、図示のように障子５，６が閉じた状態においては、これらの煙返し２４，２５は互いに相手の裏面側に対面するように交差した状態となる。
　【０００６】
　ここでクレセント１７として非防火性クレセントを用いた場合、室内側からの火災発生によりクレセント１７が溶融すると、召し合せ框８，１３どうしの結合が解かれ、図８に示すように、障子５，６の横框（図示せず）やガラスパネル１１，１６の熱膨張により、召し合せ框８，１３がそれぞれ矢印Ｘ１，Ｘ２に示すように互いに反対側に移動する。
　【０００７】
　すなわち、障子５，６が閉じた状態においては、障子５，６の縦框のうち、召し合せ框８，１３の反対側の縦框（図示せず）は窓枠の縦枠（図示せず）に当接しているので、障子５，６が膨張しても召し合せ框８，１３の反対側の縦框は移動ができないが、しかしクレセント１７が溶融した状態では、召し合せ框８，１３は互いに非拘束となるので、これらの召し合せ框８，１３側が障子５，６の膨張により矢印Ｘ１，Ｘ２に示すように移動する。
　【０００８】
　さらに室内側で発火した場合には、室内側障子５の召し合せ框８の上下方向の中央部が熱膨張により矢印Ｙ１で示すように室内側に変形するので、煙返し２４，２５どうしが外れて召し合せ框８，１３どうしの隙間ｇが大きくなり、この拡大された隙間ｇを通して熱風や火炎が室内側から室外側に向けて噴出し、延焼を起こしやすくなる。このような問題は上げ下げ窓においても同様に生じてくる。
　【０００９】
　本発明は、上記問題点に鑑み、引き違い窓や上げ下げ窓において、非防火性クレセントを用いた場合であっても室内外障子の召し合せ框間の隙間増大による延焼が防止され、防火性を向上させた窓の防火構造を提供することを目的とする。
　【課題を解決するための手段】
　【００１０】
　請求項１の窓の防火構造は、引き違い窓または上げ下げ窓として構成された窓の防火構造において、
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面
であって、かつ前記室内側障子の召し合せ框の煙返しの根本側で、室内外方向に見て前記煙返しと重ならない箇所に、
　前記取付け溝に、加熱により発泡して召し合せ框どうしの隙間を閉塞する加熱発泡材が、その両脇を前記取付け溝の両脇の曲成部に嵌め込んで取付けら
れ、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する
　【００１１】
　請求項２の窓の防火構造は、
引き違い窓または上げ下げ窓として構成された窓の防火構造において、
　
室外側障子と室内側障子の各召し合せ框に、障子が閉じた状態において互いに相手の裏面側どうしが対面するように交差する煙返しを備えると共に、
　
前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　
前記取付け溝に、加熱により発泡して召し合せ框どうしの隙間を閉塞する加熱発泡材が、その両脇を前記取付け溝の両脇の曲成部に嵌め込んで取付けられ、
　前記室外側障子の召し合せ框における、前記室内側障子の召し合せ框との対向面にも加熱により発泡して召し合せ框どうしの隙間を閉塞する加熱発泡材が設けられていることを特徴とする。
　【００１２】
　請求項３の窓の防火構造は、請求項１または２に記載の窓の防火構造において、
　前記加熱発泡材は、発泡温度が２５０℃以下であることを特徴とする。
　【００１３】
　請求項４の窓の防火構造は、引き違い窓または上げ下げ窓として構成された窓の防火構造において、
　
室外側障子と室内側障子の各召し合せ框に、障子が閉じた状態において互いに相手の裏面側どうしが対面するように交差する煙返しを備え、
　
前記
前記
対向面であって、かつ前記室内側障子の召し合せ框の煙返しの根本側で、室内外方向に見て前記煙返しと重ならない箇所に、前記室内側障子の煙返しの室外側面よりも室内側に位置する取付け面を備え、
　
前記取付け面に、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有し、
　前記室内側障子の召し合せ框に、非防火性クレセントが取付けられていることを特徴とする。
　【発明の効果】
　【００１４】
　請求項１の発明によれば、火災発生時に召し合せ框に設けた加熱発泡材が発泡し、室内側障子の召し合せ框と室外側障子の召し合せ框との間の隙間が発泡体により閉塞される。このため、内外障子の召し合せ框間からの熱風や火炎が室外側に噴出することが防止され、延焼が防止される。その結果、クレセントとして非防火性クレセントを用いた場合であっても、延焼防止による防火性の向上が達成できる。
　【００１５】
　また、室内側障子の召し合せ框に加熱発泡材を設けたので、室内側から出火した場合、室内側障子の召し合せ框が室外側障子の召し合せ框に先行して加熱されるため、加熱発泡材が短時間で発泡する。このため、非防火性クレセントを用いた場合であっても、クレセントが溶融する前に内外の召し合せ框間が発泡体で充填され、確実な延焼防止効果が得られる。
　【００１６】
　また、内外の召し合せ框間の隙間が発泡体によって充填されることにより、召し合せ框どうしを離反させる力が発生し、これにより、内外の召し合せ框にそれぞれ形成した煙返しどうしが圧接する。これにより、煙返しどうしの摩擦抵抗が増大すると共に、この摩擦抵抗に、発泡体と召し合せ框との間で発生する摩擦抵抗が加わり、その結果、内外の召し合せ框どうしの間に大きな摩擦抵抗が発生し、障子が開き難くなる。このため、さらに延焼防止効果が上がり、防火性が向上する。
　【００１７】
　請求項２の発明によれば、外側障子の召し合せ框における、室内側障子の召し合せ框との対向面にも加熱発泡材を設けたので、内外の召し合せ框間に大量かつ広範囲に発泡体を充填させることができ、その上、内外の召し合せ框と発泡体との摩擦抵抗が増大し、召し合せ框どうしの移動をし難くするため、防火性を高めることができる。
　【００１８】
　また、煙返しを備えたものにおいては、火災発生時に召し合せ框どうしを発泡体によって押圧する力が増大するので、内外の煙返し間の摩擦抵抗も増大するので、発泡体と召し合せ框との間の摩擦抵抗が増大することと相俟って、さらに延焼防止効果が上がり、防火性が向上する。
　【００１９】
　請求項３の発明によれば、加熱発泡材として、発泡温度が２５０℃以下のものを使用したので、加熱発泡材を室内側障子の召し合せ框に設けたことと相俟って、火災発生時から短時間で加熱発泡材を発泡させることができ、クレセントが溶融して内外の召し合せ框間の隙間が増大する前に、発泡体によって召し合せ框間の隙間を閉塞し、防火性を確保することができる。
　【００２０】
　請求項４の発明によれば、クレセントとして非防火性クレセントを用いたものでありながら、火災発生時に召し合せ框間の隙間を閉塞する加熱発泡材を設けたことにより、防火性の高い窓を実現することが可能となる。また、クレセントとして非防火性クレセントを用いたので、クレセントの価格低減が可能になると共に、防火性が要求されない箇所の窓のクレセントと意匠を統一することができる。
　【図面の簡単な説明】
　【００２１】
　【図１】本発明の窓の防火構造の一実施の形態を示す引き違い窓であり、窓を室内側から見た図である。
　【図２】図１のＥ−Ｅ拡大断面図である。
　【図３】この実施の形態において、火災発生時に加熱発泡材が発泡した状態を示す横断面図である。
　【図４】本発明の窓の防火構造の他の実施の形態を示す横断面図である。
　【図５】図４の実施の形態において、火災発生時に加熱発泡材が発泡した状態を示す横断面図である。
　【図６】本発明の窓の防火構造を上げ下げ窓に適用した例を示す縦断面図である。
　【図７】従来の引き違い窓の召し合せ框の部分を示す横断面図である。
　【図８】図７の引き違い窓の火災発生時における召し合せ框の変化を示す横断面図である。
　【発明を実施するための形態】
　【００２２】
　図１は本発明の窓の防火構造の一実施の形態を示す引き違い窓であり、室内側から見た図である。図２は図１のＥ−Ｅ拡大断面図である。図１において、１は窓枠であり、この窓枠１は、アルミニウム合金等の金属製押出形材を主体とした左右の縦枠２，２と、上枠３および下枠４とにより構成される。５，６はこの窓枠１にスライド可能に装着されて引き違い窓を構成する室内側障子および室外側障子である。
　【００２３】
　室内側障子５は、縦枠２側縦框７と、召し合せ框８と、その間に設けられた上框９と、下框１０と、これらの框７〜１０でなる框組内に組み込まれたガラスパネル１１とで構成する。室外側障子６は、縦枠２側縦框１２と、召し合せ框１３（図２参照）と、その間に設けられた上框１４と、下框１５と、これらの框１２〜１５でなる框組内に組み込まれたガラスパネル１６とで構成する。これらの框７〜１０、１２〜１５はアルミニウム合金等の金属製押出形材を主体として構成する。
　【００２４】
　１７は室内側障子５の召し合せ框８に取付けたクレセントであり、この実施の形態においては、例えば亜鉛ダイカストを主体とした非防火性クレセントを用いる。このようにクレセント１７として非防火性クレセントを用いれば、クレセントの価格低減が可能になると共に、クレセントの意匠を統一することができる。
　【００２５】
　なお、非防火性クレセントとしては、亜鉛ダイカストを主体としたもの以外に、アルミニウムダイカスト、マグネシウムダイカスト、ポリアミド系樹脂等を主体としたものを用いることができる。しかしながら、本発明の防火構造を実現する場合、クレセント１７として、例えば鋼材を主体とした防火性クレセントを用いてもよい。
　【００２６】
　図２に示すように、ガラスパネル１１，１６は、防火性、断熱性を高めるため、それぞれ網入りのガラスパネル１１ａ，１６ａと、網なしのガラスパネル１１ｂ，１６ｂとにより複層パネルとして構成している。１１ｃ，１６ｃはこれらのガラスパネル１１，１６を召し合せ框８，１３に組み込むためのグレージングチャンネルである。
　【００２７】
　室内側障子５において、８ａは、断熱性向上のために、召し合せ框８における室外側の面以外の面を空気層を介して覆う樹脂製の押出形材である。クレセント１７は、取付けねじ１８を、このクレセント１７および押出形材８ａ，召し合せ框８の取付け穴に貫通して召し合せ框８内に設けた裏板１９のねじ孔に螺合し締結することにより、召し合せ框８に取付ける。２０はこのクレセント１７のフック１７ａを係止するために、室外側障子６の召し合せ框１３に取付けた受け金具である。
　【００２８】
　２２は室内側障子５の召し合せ框８に設けた気密材であり、障子５，６を閉じた状態において、室外側障子６の召し合せ框１３に当接させるものである。２３は室外側障子６の召し合せ框１３に設けた気密材であり、障子５，６を閉じた状態において、室内側障子５の召し合せ框８に当接させるものである。２４，２５はそれぞれ召し合せ框８，１３における相互の対向面に形成した煙返しであり、障子５，６を閉じた状態において、それぞれ煙返し２４，２５は相手の裏側の面（框８，１３の対向面の反対側の面）に対面するように交差させて係合させるものである。
　【００２９】
　２７は室内側障子５の召し合せ框８における室外側障子６の召し合せ框１３との対向面に設けた加熱発泡材である。召し合せ框８には、この加熱発泡材２７を取付けるため、召し合せ框８の全長にわたって加熱発泡材２７の取付け溝２８を設ける（図１参照）。この加熱発泡材２７は火災発生時の加熱により発泡するものである。取付け溝２８は、煙返し２５より室内側障子の煙返し２５の室外側面よりも室内側へ凹み、両脇が断面略コ字形に曲成された形状に形成される。
また、取付け溝２８は、室内側障子５の召し合せ框８の煙返し２５の根本側で、室内外方向に見て煙返し２５と重ならない箇所に設けられる。
召し合せ框８における加熱発泡材２７の取付け面は、室内側障子５の煙返し２５における室外側障子６の召し合せ框１３との対向面より室内側に位置する。
　【００３０】
　この構成において、火災発生時に加熱発泡材２７が発泡すると、図３に示すように、召し合せ框８、１３間の隙間が発泡体２７ａにより充填される。特に室内側から出火した場合、室内側障子５の召し合せ框８が室外側障子６の召し合せ框１３に先行して加熱されるため、室内側障子５の召し合せ框８に設けた加熱発泡材２７が早期に発泡し、召し合せ框８，１３の間の隙間が発泡体２７ａにより閉塞される。このため、室内外障子５，６の召し合せ框８，１３間からの熱風や火炎が室外側に噴出することが防止され、延焼が防止される。このため、クレセント１７として非防火性クレセントを用いた場合であっても、延焼防止による防火性の向上が達成できる。
　【００３１】
　また、この実施の形態のように、煙返し２４，２５をそれぞれ召し合せ框８，１３に設けたものにおいては、召し合せ框８，１３間の隙間が発泡体２７ａによって充填されることにより、矢印Ｙ２に示すように、召し合せ框８，１３どうしを離反させる力が発生し、これにより、内外の召し合せ框８，１３にそれぞれ形成した煙返し２４，２５どうしが圧接する。これにより、煙返し２４，２５どうしの摩擦抵抗が増大すると共に、この摩擦抵抗に、発泡体２７ａと召し合せ框１３との間で発生する摩擦抵抗が加わり、その結果、内外の召し合せ框８，１３どうしの間に大きな摩擦抵抗が発生し、障子が開き難くなる。このため、さらに延焼防止効果が上がり、防火性が向上する。すなわち、仮に火災による熱によってクレセント１７が溶融したとしても、延焼防止効果を持続させることが可能となる。
　【００３２】
　ここで、加熱発泡材２７は、火災発生時にクレセント１７が溶融する前に発泡することが好ましい。このように加熱発泡材２７を迅速に発泡させるには、比較的低温で発泡する加熱発泡材を用いることが好ましく、発泡温度が２５０℃以下の例えばエポキシ系樹脂を基材としたものを用いることが好ましい。発泡温度が２５０℃以下であれば、室内側で発火させる火災実験において、加熱発泡材２７を６〜７分で発泡させることが可能であることを確認している。
　【００３３】
　このような加熱発泡材を用いれば、クレセント１７の溶融前に、より確実に発泡させ、召し合せ框８，１３間を発泡体２７ａで迅速に閉塞し、発泡体２７ａや煙返し２４，２５どうしの圧接により、召し合せ框８，１３を互いに離反しない状態に維持することができる。
　【００３４】
　図４は本発明の窓の防火構造の他の実施の形態であり、室内側障子５の召し合せ框８のみならず、室外側障子６の召し合せ框１３における室内側障子５の召し合せ框８との対向面にも加熱発泡材３０を、召し合せ框１３のほぼ全長にわたって設けたものである。この実施の形態においても、召し合せ框１３に設けた取付け溝３１に加熱発泡材３０を嵌め込んで取付けている。
　【００３５】
　図５は火災発生時に加熱発泡材２７，３０が発泡して膨張し、発泡体２７ａ，３０ａとして召し合せ框８，１３間の隙間を閉塞した状態を示す。この実施の形態によれば、内外の召し合せ框８，１３間の隙間に大量かつ広範囲に発泡体２７ａ，３０ａを充填させることができ、防火性をさらに高めることができる。また、障子５，６を閉じた状態において、煙返し２４，２５どうしを係合させる構成においては、火災発生時に召し合せ框８，１３どうしを発泡体２７ａ，３０ａによって押圧する力（矢印Ｙ２に示す。）が増大するので、発泡体２７ａ，３０ａと召し合せ框１３，８との間の摩擦抵抗が増大すると共に、内外の煙返し２４，２５間の摩擦抵抗も増大するので、さらに延焼防止効果が上がり、防火性が向上する。
　【００３６】
　上記の実施の形態においては、引き違い窓に本発明の防火構造を適用した例について示したが、本発明は、図６の縦断面図に示すように、上げ下げ窓にも適用することができる。図６において、３３は室内側障子、３４は室外側障子である。３５は室内側障子３３の上框となる召し合せ框、３６は室外側障子３４の下框となる召し合せ框である。
　【００３７】
　３７は網入りガラスパネル３７ａと網無しガラスパネル３７ｂとからなる室内側障子３３のガラスパネル（複層パネル）である。３８はガラスパネル３７を召し合せ框３５に組み込むためのグレージングチャンネルである。３９は網入りガラスパネル３９ａと網無しガラスパネル３９ｂとからなる室外側障子３４のガラスパネル（複層パネル）である。４０，４１はこのガラスパネル３９を召し合せ框３６に組み込むためのビートである。
　【００３８】
　室内側障子３３において、３５ａは断熱性向上のために、召し合せ框３５における室外側の面以外の面を空気層を介して覆うように組み合わせた樹脂製の押出形材である。４４は召し合せ框３５に取付けたクレセントである。４５はこのクレセント４４のフック４４ａを係止するために室外側障子３４の召し合せ框３６に取付けた受け金具である。
　【００３９】
　４６，４７は室内側障子３３の召し合せ框３５に取付けた気密材であり、障子３３，３４を閉じた状態において、室外側障子３４の召し合せ框３６に当接させるものである。４８は室外側障子３４の召し合せ框３６に取付けた気密材であり、障子３３，３４を閉じた状態において、室内側障子３３の召し合せ框３５に当接させるものである。５０，５１はそれぞれ召し合せ框３５，３６における相互に対向面に形成した煙返しであり、障子３３，３４を閉じた状態において、それぞれ煙返し５０，５１は相手の裏側の面に対面するように係合させるものである。
　【００４０】
　５２は、室内側障子３３の召し合せ框３５において、室外側障子３４の召し合せ框３６との対向面に設けた加熱発泡材である。召し合せ框３５には、この加熱発泡材５２を接着または不図示のねじ等の固定具により召し合せ框３５の全長にわたって取付ける。この加熱発泡材５２の取付けは、前記実施の形態と同様に召し合せ框３５に取付け溝を設け、その取付け溝に加熱発泡材５２を嵌め込むことによって行なうようにしてもよい。
　【００４１】
　図示のように、召し合せ框３５，３６どうしが対面するように障子３３，３４が閉じた状態においては、加熱発泡材５２は、室内側障子３３の召し合せ框３５に取付けた気密材４６と、室外側障子３４の召し合せ框３６に取付けた気密材４８との間に位置するように構成する。
　【００４２】
　この上げ下げ窓は、室内側障子３３を上げるかまたは室外側障子３４を下げることによって開放状態とするものであり、閉じ状態においては、クレセント４４のフック４４ａを受け金具４５に係合させる。
　【００４３】
　この上げ下げ窓においても、火災発生時には前記実施の形態と同様に加熱発泡材５２が発泡して召し合せ框３５，３６間の隙間を塞ぎ、かつ発泡体の膨張により煙返し５０，５１どうしが圧接して摩擦抵抗を増大させ、発泡体と召し合せ框３６との摩擦抵抗も加わり、障子３３，３４の開き方向の動きを防止するので、クレセント４４が溶融したとしても、障子３３，３４の閉じ状態を維持し、防火性を高めることができる。
　【００４４】
　また、この実施の形態のように、室内側障子３３の召し合せ框３５に加熱発泡材５２を設けることにより、室内側から出火した際に加熱発泡材５２が迅速に発泡し、クレセント４４の溶融前に障子３３，３４の閉じ状態を維持する態勢を確立させておくことができる。
　【００４５】
　また、この実施の形態においては、障子３３，３４の閉じ状態において、加熱発泡材５２が上下の気密材４６，４８間に介在する構造としたので、発泡時における発泡体の下方への落下を塞ぎ、発泡体を効率のよい状態で召し合せ框３５，３６間に充填させることができる。
　【００４６】
　図６に示すような上げ下げ窓においても、室内側障子３３の召し合せ框３５のみならず、室外側障子３４の召し合せ框３６の召し合せ框３５との対向面にも加熱発泡材を設けてもよい。このように、室外側障子３４の召し合せ框３６にも加熱発泡材を設ければ、召し合せ框３５，３６間の隙間をより大量かつ広範囲の発泡体によって閉塞することができ、煙返し５０，５１間の摩擦抵抗、および発泡体と召し合せ框３５，３６間の摩擦抵抗もより増大するので、防火性がより向上する。
　【００４７】
　以上本発明を実施の形態により説明したが、本発明を実施する場合、本発明の要旨を逸脱しない範囲において、窓枠や障子の具体的構成や加熱発泡材の取付け構造等について、種々の変更、付加が可能である。
　【符号の説明】
　【００４８】
１：窓枠、２：縦枠、３：上枠、４：下枠、５：室内側障子、６：室外側障子、７：縦框、８：召し合せ框、９：上框、１０：下框、１１：ガラスパネル、１２：縦框、１３：召し合せ框、１４：上框、１５：下框、１６：ガラスパネル、１７：クレセント、１８：取付けねじ、１９：裏板、２０：受け金具、２４，２５：煙返し、２７：加熱発泡材、２７ａ：発泡体、２８：取付け溝、３０：加熱発泡材、３０ａ：発泡体、３１：取付け溝、３３：室内側障子、３４：室外側障子、３５，３６：召し合せ框、３７，３９：ガラスパネル、４４：クレセント、４５：受け金具、５０，５１：煙返し、５２：加熱発泡材
（５７）【特許請求の範囲】
　【請求項１】
　引き違い窓または上げ下げ窓として構成された窓の防火構造において、
　室外側障子と室内側障子の各召し合せ框に、障子が閉じた状態において互いに相手の裏面側どうしが対面するように交差する煙返しを備えると共に、
　前記室内側障子の召し合せ框における、前記室外側障子の召し合せ框との対向面
であって、かつ前記室内側障子の召し合せ框の煙返しの根本側で、室内外方向に見て前記煙返しと重ならない箇所に、
　前記取付け溝に、加熱により発泡して召し合せ框どうしの隙間を閉塞する加熱発泡材が、その両脇を前記取付け溝の両脇の曲成部に嵌め込んで取付けら
れ、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有する
　【請求項２】
　
引き違い窓または上げ下げ窓として構成された窓の防火構造において、
　
室外側障子と室内側障子の各召し合せ框に、障子が閉じた状態において互いに相手の裏面側どうしが対面するように交差する煙返しを備えると共に、
　
前記室内側障子の召し合せ框における、前記室外側障子の召し合せ框との対向面に、前記室内側障子の煙返しの室外側面よりも室内側へ凹み、両脇が断面略コ字形に曲成された取付け溝を備え、
　
前記取付け溝に、加熱により発泡して召し合せ框どうしの隙間を閉塞する加熱発泡材が、その両脇を前記取付け溝の両脇の曲成部に嵌め込んで取付けられ、
　前記室外側障子の召し合せ框における、前記室内側障子の召し合せ框との対向面にも加熱により発泡して召し合せ框どうしの隙間を閉塞する加熱発泡材が設けられていることを特徴とする窓の防火構造。
　【請求項３】
　請求項１または２に記載の窓の防火構造において、
　前記加熱発泡材は、発泡温度が２５０℃以下であることを特徴とする窓の防火構造。
　【請求項４】
　引き違い窓または上げ下げ窓として構成された窓の防火構造において、
　
室外側障子と室内側障子の各召し合せ框に、障子が閉じた状態において互いに相手の裏面側どうしが対面するように交差する煙返しを備え、
　
前記
前記
対向面であって、かつ前記室内側障子の召し合せ框の煙返しの根本側で、室内外方向に見て前記煙返しと重ならない箇所に、前記室内側障子の煙返しの室外側面よりも室内側に位置する取付け面を備え、
　
前記取付け面に、
　
火災発生時に、内外の召し合せ框間の隙間が前記加熱発泡材の発泡により生じた発泡体によって充填されることにより、召し合せ框どうしを離反させる力が発生し、内外の召し合せ框にそれぞれ形成した煙返しどうしが圧接して、障子が開き難くなる構成を有し、
　前記室内側障子の召し合せ框に、非防火性クレセントが取付けられていることを特徴とする窓の防火構造。